(57)【要約】【課題】座りが良く、スムースなスイングが可能なパター型ゴルフクラブの提供。【解決手段】ヘッド２は、パター型ゴルフクラブのヘッドである。ヘッド２は、フェース部４と、バック部６と、トウ連結部８と、ヒール連結部１０とを備える。本発明では、ヘッド２の下面の各地点における高さＨが規定される。地点ｃ１における高さＨ（ｃ１）が、地点ｃ４における高さＨ（ｃ４）以上である。地点ｈ１における高さＨ（ｈ１）が、地点ｈ５における高さＨ（ｈ５）よりも高い。地点ｔ１における高さＨ（ｔ１）が、地点ｔ５における高さＨ（ｔ５）よりも高い。地点ｈ５における高さＨ（ｈ５）が、地点ｃ４における高さＨ（ｃ４）以上である。地点ｔ５における高さＨ（ｔ５）が、地点ｃ４における高さＨ（ｃ４）以上である。［Ｈ（ｈ１）−Ｈ（ｈ５）］が、［Ｈ（ｃ１）−Ｈ（ｃ４）］よりも大きい。［Ｈ（ｔ１）−Ｈ（ｔ５）］が、［Ｈ（ｃ１）−Ｈ（ｃ４）］よりも大きい。【選択図】図５
2008136524.tif 000002
【特許請求の範囲】
【請求項１】
フェース面を備えたフェース部と、
このフェース部の中央部から後方に延びるバック部と、
フェース部のトウ側からバック部の後方にまで延在しているトウ連結部と、
フェース部のヒール側からバック部の後方にまで延在しているヒール連結部とを有し、
ヘッド下面の各地点における基準接地面からの高さＨが、下記の（ａ）から（ｇ）を満たすパター型ゴルフクラブのヘッド。
（ａ）地点ｃ１における高さＨ（ｃ１）が、地点ｃ４における高さＨ（ｃ４）以上である。
（ｂ）地点ｈ１における高さＨ（ｈ１）が、地点ｈ５における高さＨ（ｈ５）よりも高い。
（ｃ）地点ｔ１における高さＨ（ｔ１）が、地点ｔ５における高さＨ（ｔ５）よりも高い。
（ｄ）地点ｈ５における高さＨ（ｈ５）が、地点ｃ４における高さＨ（ｃ４）以上である。
（ｅ）地点ｔ５における高さＨ（ｔ５）が、地点ｃ４における高さＨ（ｃ４）以上である。
（ｆ）［Ｈ（ｈ１）−Ｈ（ｈ５）］が、［Ｈ（ｃ１）−Ｈ（ｃ４）］よりも大きい。
（ｇ）［Ｈ（ｔ１）−Ｈ（ｔ５）］が、［Ｈ（ｃ１）−Ｈ（ｃ４）］よりも大きい。
ただし、
地点（ｈ１）は、上記バック部との連結部位における上記ヒール連結部のフェース・バック方向中心地点であり、
地点（ｔ１）は、上記バック部との連結部位における上記トウ連結部のフェース・バック方向中心地点であり、
地点（ｃ１）のフェース・バック方向位置は、上記地点（ｈ１）及び上記地点（ｔ１）と同一であり、
地点（ｃ４）、地点（ｈ５）及び地点（ｔ５）のフェース・バック方向位置は、リーディングエッジ中心点から５ｍｍを隔てた位置であり、
地点（ｃ１）及び地点（ｃ４）のトウ・ヒール方向位置は、フェースセンターと同一であり、
地点（ｈ５）のトウ・ヒール方向位置は、上記フェース部との連結部位における上記ヒール連結部のトウ・ヒール方向中心位置であり、
地点（ｔ５）のトウ・ヒール方向位置は、上記フェース部との連結部位における上記トウ連結部のトウ・ヒール方向中心位置である。
【発明の詳細な説明】
【技術分野】
【０００１】
本発明は、パター型ゴルフクラブに関する。
【背景技術】
【０００２】
パター型ゴルフクラブのヘッドとして、フェース部材と、フェース部材のヒール端部から略後方に伸びる第一のアームと、フェース部材のトウ端部から略後方に伸びる第二のアームとを備えたヘッドが提案されている（特開２００５−１９９０７３参照）。このヘッドは、慣性モーメントの増大に寄与しうる。
【特許文献１】特開２００５−１９９０７３公報
【発明の開示】
【発明が解決しようとする課題】
【０００３】
以下において、ヘッド底面の接地面からの高さが、「浮き」とも称される。以下において、アドレス時におけるヘッド姿勢の安定性が、「座り」とも称される。これらの用語は、当業者において定着した表現である。
【０００４】
特開２００５−１９９０７３公報に係るヘッドは、ヘッドのトウ部分及びヒール部分が重い。トウ部分及びヒール部分の浮きが大きい場合、ヘッドがトウ側又はヒール側に傾きやすくなり、ヘッドの座りが悪くなる。一方、トウ部分及びヒール部分の浮きが小さい場合、座りが改善されうる。しかしこの場合、スイング中にトウ部分又はヒール部分が地面に接触しやすい。この接触は、スムースなスイングを妨げる。
【０００５】
本発明の目的は、座りが良く、スムースなスイングが可能なパター型ゴルフクラブの提供にある。
【課題を解決するための手段】
【０００６】
本発明に係るパター型ゴルフクラブは、フェース面を備えたフェース部と、このフェース部の中央部から後方に延びるバック部と、フェース部のトウ側からバック部の後方にまで延在しているトウ連結部と、フェース部のヒール側からバック部の後方にまで延在しているヒール連結部とを有する。このヘッドでは、ヘッド下面の各地点における基準接地面からの高さＨが、下記の（ａ）から（ｇ）を満たす。
【０００７】
（ａ）地点ｃ１における高さＨ（ｃ１）が、地点ｃ４における高さＨ（ｃ４）以上である。
【０００８】
（ｂ）地点ｈ１における高さＨ（ｈ１）が、地点ｈ５における高さＨ（ｈ５）よりも高い。
【０００９】
（ｃ）地点ｔ１における高さＨ（ｔ１）が、地点ｔ５における高さＨ（ｔ５）よりも高い。
【００１０】
（ｄ）地点ｈ５における高さＨ（ｈ５）が、地点ｃ４における高さＨ（ｃ４）以上である。
【００１１】
（ｅ）地点ｔ５における高さＨ（ｔ５）が、地点ｃ４における高さＨ（ｃ４）以上である。
【００１２】
（ｆ）［Ｈ（ｈ１）−Ｈ（ｈ５）］が、［Ｈ（ｃ１）−Ｈ（ｃ４）］よりも大きい。
【００１３】
（ｇ）［Ｈ（ｔ１）−Ｈ（ｔ５）］が、［Ｈ（ｃ１）−Ｈ（ｃ４）］よりも大きい。
【００１４】
ただし、地点（ｈ１）は、上記バック部との連結部位における上記ヒール連結部のフェース・バック方向中心地点である。地点（ｔ１）は、上記バック部との連結部位における上記トウ連結部のフェース・バック方向中心地点である。地点（ｃ１）のフェース・バック方向位置は、上記地点（ｈ１）及び上記地点（ｔ１）と同一である。地点（ｃ４）、地点（ｈ５）及び地点（ｔ５）のフェース・バック方向位置は、リーディングエッジ中心点から５ｍｍを隔てた位置である。地点（ｃ１）及び地点（ｃ４）のトウ・ヒール方向位置は、フェースセンターｆｃと同一である。地点（ｈ５）のトウ・ヒール方向位置は、上記フェース部との連結部位における上記ヒール連結部のトウ・ヒール方向中心位置である。地点（ｔ５）のトウ・ヒール方向位置は、上記フェース部との連結部位における上記トウ連結部のトウ・ヒール方向中心位置である。
【発明を実施するための最良の形態】
【００１５】
以下、適宜図面が参照されつつ、好ましい実施形態に基づいて本発明が詳細に説明される。
【００１６】
図１は、本発明の一実施形態に係るパター型ゴルフクラブのヘッド２を示す平面図である。図１は、上方から見たヘッド２を示している。図２は、ヘッド２をヒール側から見た側面図である。図３は、ヘッド２をフェース面側から見た正面図である。図４及び図５は、ヘッド２を下方から見た底面図である。図６は、図１のVI−VI線に沿った断面図である。図７は、図１のVII−VII線に沿った断面図である。図８は、図１のVIII−VIII線に沿った断面図である。
【００１７】
ヘッド２は、フェース部４、バック部６、トウ連結部８及びヒール連結部１０を有する。フェース部４は、フェース面１２を有する。フェース部４は、裏面１４を有する。裏面１４は、フェース面１２と反対の面である。フェース面１２は、平面である。裏面１４は、平面である。バック部６は、フェース部４の中央部から後方に伸びている。バック部６は、フェース・バック方向に伸びている。トウ連結部８は、フェース部４のトウ側からバック部６の後方にまで延在している。トウ連結部８は、フェース部４のトウ側端からバック部６の後方にまで延在している。トウ連結部８は、裏面１４から伸びている。ヒール連結部１０は、フェース部４のヒール側からバック部６の後方にまで延在している。ヒール連結部１０は、フェース部４のヒール側端からバック部６の後方にまで延在している。ヒール連結部１０は、裏面１４から伸びている。
【００１８】
フェース面１２は、フェースセンターｆｃを有する。フェースセンターｆｃは、フェース面１２の重心である。フェース面１２が平面の場合、フェースセンターｆｃは、フェース面１２の図心である。
【００１９】
図１、図３、図４、図６及び図７が示すように、ヘッド２の形状は、シャフト穴１１を除き、フェースセンターｆｃを通りフェース・バック方向に平行な平面に対して実質的に対称である。この対称性は、アドレスのしやすさに寄与する。この対称性により、打点がフェースセンターｆｃに近づきやすい。この対称性により、打球方向が左右にズレにくい。
【００２０】
図１に示されるように、フェース部４は、シャフト穴１１を有する。シャフト穴１１に、図示しないシャフトの先端部が挿入されつつ接着される。図示しないが、シャフトの後端部にはグリップが装着される。ヘッド２に、シャフト及びグリップが装着されて、パター型ゴルフクラブが完成する。
【００２１】
図３及び図８に示されるように、フェース部４には、フェースプレート１５が設けられている。フェースプレート１５は、例えば、ウレタン樹脂等の樹脂や銅などの金属よりなる。フェースプレート１５は、フェース面１２の一部を構成する。フェースプレート１５は、打球感を改善する。
【００２２】
図３が示すように、フェース部４の下面４ａは、ラウンド形状を呈している。フェース部４の下面４ａのトウ側端は、下面４ａのトウ・ヒール方向中心より高い。フェース部４の下面４ａのヒール側端は、下面４ａのトウ・ヒール方向中心より高い。フェース部４の下面４ａは、その全体が滑らかに連続している。
【００２３】
トウ連結部８のヒール側には、空間ｋ１が存在する。空間ｋ１は、トウ連結部８とバック部６との間に存在する。ヒール連結部１０のトウ側には、空間ｋ２が存在する。空間ｋ２は、ヒール連結部１０とバック部６との間に位置する。
【００２４】
トウ連結部８及びヒール連結部１０により、ヘッド２の重量がトウ側及びヒール側に分配される。この分配により、ヘッド２の慣性モーメントが増大する。慣性モーメントの増大により、打球方向性が向上する。
【００２５】
フェース部４と、バック部６と、トウ連結部８と、ヒール連結部１０とは、それぞれ別部材である。各部材は、互いに接着剤により接着されている。更に、各部材は、互いに嵌合されている。図１及び図２が示すように、トウ連結部８及びヒール連結部１０の凸部１８とフェース部４の凹部１６とが嵌合している。バック部６の凹部１６とフェース部４の凸部１８とが嵌合している。トウ連結部８の後端部とバック部６の凹部１６とが嵌合している。ヒール連結部１０の後端部とバック部６の凹部１６とが嵌合している。
【００２６】
なお、各部材の接合方法は、上記のような嵌合や接着に限定されず、ネジによる接合、リベットによる接合、溶接なども採用されうる。
【００２７】
フェース部４、バック部６、トウ連結部８及びヒール連結部１０は、アルミニウム合金よりなる。なお、ヘッドの材質としては、例えば、アルミニウム合金、真鍮、ステンレス鋼、銅、チタン合金、鉄などの金属や、ウレタン樹脂、エポキシ樹脂、アイオノマー樹脂等の樹脂が採用されうる。ヘッドは、単一の材質からなっていてもよいし、複数の材質からなるものでもよい。
【００２８】
図６及び図７が示すように、バック部６の上面の断面形状は、円弧状である。バック部６の断面形状は、Ｄ字型である。バック部６は、断面円形の丸棒の周方向１箇所に面取りを設けた形状を呈している。バック部６は、ヘッド２の下面の一部を構成するとともに、トウ・ヒール方向断面が直線となる底面１９を有する。底面１９は、その全体が段差なく連続している。底面１９は、複数の平面から構成されている。底面１９は、第一平面１９ａと、第二平面１９ｂとからなる。第一平面１９ａと第二平面１９ｂとの境界は、稜線ｒである（図４参照）。第一平面１９ａは、フェース部４の下面４ａと隣接している。第一平面１９ａと第二平面１９ｂとは、段差なく連続している。第二平面１９ｂは、フェース面側からバック側に向かって徐々に高くなっている。
【００２９】
第一平面１９ａは、基準接地面ｓに含まれる。基準接地面ｓについては、後述する。図４において両矢印Ｗ３で示されるのは、第一平面１９ａのトウ・ヒール方向幅である。この第一平面１９ａは、座りの良さに寄与する。座りを良くする観点から、幅Ｗ３は、１５ｍｍ以上が好ましく、２０ｍｍ以上がより好ましく、２５ｍｍ以上がより好ましい。振り抜きを良くする観点から、幅Ｗ３は、５０ｍｍ以下が好ましく、４５ｍｍ以下がより好ましく、４０ｍｍ以下がより好ましい。
【００３０】
図４において両矢印Ｗ４で示されるのは、リーディングエッジＬから第一平面１９ａの後端までのフェース・バック方向最大幅である。座りを良くする観点から、幅Ｗ４は、４０ｍｍ以上が好ましく、５０ｍｍ以上がより好ましく、６０ｍｍ以上が特に好ましい。振り抜きを良くする観点から、幅Ｗ４は、９０ｍｍ以下が好ましく、８０ｍｍ以下がより好ましく、７０ｍｍ以下がより好ましい。
【００３１】
バック部６は、フェース面１２のトウ・ヒール方向における中心に位置する。バック部６は、フェース・バック方向に伸びる２本の輪郭線２０を有する。トウ・ヒール方向において、２本の輪郭線２０間の中心は、フェースセンターｆｃと一致する。
【００３２】
図６及び図７が示すように、トウ連結部８の断面形状は、やや偏平である。トウ連結部８の下面は、その全体に亘って滑らかに連続している。図６及び図７が示すように、ヒール連結部１０の断面形状は、やや偏平である。ヒール連結部１０の下面は、その全体に亘って滑らかに連続している。
【００３３】
フェース部４の下面４ａとトウ連結部８の下面とは、滑らかに連続している。フェース部４の下面とヒール連結部１０の下面とは、滑らかに連続している。フェース部４の下面とバック部６の底面１９とは、滑らかに連続している。下面の滑らかな連続性は、振り抜きの良さに寄与する。
【００３４】
あらゆる地点において、トウ連結部８の下面の高さは基準接地面ｓの高さ以上である。これにより、スイングの際にトウ連結部８が接地しにくくなり、振り抜きが良くなる。あらゆる地点において、ヒール連結部１０の下面の高さは、基準接地面ｓの高さ以上である。これにより、スイングの際にヒール連結部１０が接地しにくくなり、振り抜きが良くなる。基準接地面ｓについては、後述される。
【００３５】
あらゆる地点において、ヘッド２の下面の高さは、基準接地面ｓの高さ以上である。この下面形状は、打球後半におけるヘッド２と地面との接触を抑制する。この下面形状は、振り抜きの良さに寄与する。
【００３６】
図２において両矢印αで示されているのは、フェース部４の下面４ａのうち、リーディングエッジ中心点からのフェース・バック方向距離が５ｍｍ以上の範囲である。図２において両矢印βで示されているのは、ヘッド２の下面のうち、リーディングエッジ中心点からのフェース・バック方向距離が５ｍｍ以上の範囲である。図２において両矢印γで示されているのは、ヘッド２の下面のうち、リーディングエッジ中心点からのフェース・バック方向距離が５ｍｍ未満の範囲である。図２において両矢印ＨＬで示されているのは、リーディングエッジの基準接地面ｓからの高さである。
【００３７】
あらゆるトウ・ヒール方向断面において、トウ連結部８の最低点の高さは、底面１９の最高点の高さ以上である。あらゆるトウ・ヒール方向断面において、ヒール連結部１０の最低点の高さは、底面１９の最高点の高さ以上である。
【００３８】
あらゆるトウ・ヒール方向位置において、フェース部４の下面４ａの範囲αにおけるフェース・バック方向に沿った断面は、基準接地面ｓと平行であるか、又はフェース側からバック側に向かって高くなるように傾斜している。この下面形状は、振り抜きの良さに寄与する。範囲γは、基準接地面ｓと平行であるか、又はバック側からフェース側に向かって高くなるように傾斜している。高さＨＬは、０ｍｍ以上が好ましく、０．３ｍｍ以上がより好ましく、０．５ｍｍ以上が特に好ましい。高さＨＬは、３ｍｍ以下が好ましく、２ｍｍ以下がより好ましく、１．５ｍｍ以下が特に好ましい。このような範囲γの形状は、打撃開始時の振り抜きの良さに寄与する。
【００３９】
あらゆるトウ・ヒール方向位置において、バック部６の下面のフェース・バック方向に沿った断面は、基準接地面ｓと平行であるか、又はフェース側からバック側に向かって高くなるように傾斜している。この下面形状は、振り抜きの良さに寄与する。
【００４０】
あらゆるトウ・ヒール方向位置において、範囲βのフェース・バック方向に沿った断面は、基準接地面ｓと平行であるか、又はフェース側からバック側に向かって高くなるように傾斜していてもよい。この下面形状は、振り抜きの良さに寄与する。なお、範囲γは、基準接地面ｓと平行であるか、又はバック側からフェース側に向かって高くなるように傾斜させるのがよい。また、高さＨＬは、０ｍｍ以上が好ましく、０．３ｍｍ以上がより好ましく、０．５ｍｍ以上が特に好ましい。高さＨＬは、３ｍｍ以下が好ましく、２ｍｍ以下がより好ましく、１．５ｍｍ以下が特に好ましい。このような範囲γの形状は、打撃開始時の振り抜きの良さに寄与する。
【００４１】
なお、ヘッド２の下面とは、下方から視認されうる面である。ヘッド２の下面は、ヘッド２の表面のうち、図４で図示されている部分である。
【００４２】
パッティングにおいては、フェース面１２の向きを目標方向に対して正確に合わせることが極めて重要である。ボールを目標方向に対して正確に打ち出すためには、ヘッドの軌道が目標方向の延長線に沿うようなテークバック（以下、まっすぐなテークバックともいう）を行うことが極めて重要である。トウ・ヒール方向に伸びるバック部６により、フェース面１２の向きを目標方向に合わせやすくなる。トウ・ヒール方向に伸びるバック部６により、まっすぐなテークバックがしやすくなる。これらの効果は、バック部６のトウ・ヒール方向幅をゴルフボールに近くすることで高まる。この観点から、バック部６のトウ・ヒール方向幅Ｗ１（図４参照）は、３０ｍｍ以上５０ｍｍ以下が好ましい。
【００４３】
トウ・ヒール方向に伸びる輪郭線２０により、フェース面１２の向きを目標方向に合わせやすくなる。トウ・ヒール方向に伸びる輪郭線２０により、まっすぐなテークバックがしやすくなる。これらの効果は、２本の輪郭線２０のトウ・ヒール方向間隔をゴルフボールに近くすることで高まる。この観点から、バック部６のトウ・ヒール方向幅Ｗ２（図４参照）は
、３０ｍｍ以上５０ｍｍ以下が好ましい。
【００４４】
本実施形態では、ヘッド下面の各地点における基準接地面ｓからの高さＨが規定される。各地点における高さＨは、ヘッドの座り（すわり）に関係する。各地点における高さＨは、ヘッドの振り抜きに関係する。本願において、「高さ」は、基準接地面ｓからの高さを意味する。
【００４５】
ヘッド下面の各地点が、図５で示される。図４と図５とは、同一の図面である。符合が混み合うことを避けるために、図４とは別に図５を記載した。
【００４６】
ヘッド下面の各地点として、地点（ｃ１）から（ｃ５）、地点（ｈ１）から地点（ｈ５）及び地点（ｔ１）から（ｔ５）が規定される。これらの各地点は、図５で示されている。各地点の定義は、次の通りである。
【００４７】
［地点（ｃ１）］
トウ・ヒール方向位置：フェースセンターｆｃと同じ。
フェース・バック方向位置：地点（ｈ１）と同じ。地点（ｔ１）と同じ。
【００４８】
［地点（ｃ２）］
トウ・ヒール方向位置：フェースセンターｆｃと同じ。
フェース・バック方向位置：地点ｃ５から長さＬ２を隔てた位置。ただし、長さＬ２は、ヘッドのトウ・ヒール方向最大幅Ｌ１の０．６倍である。
【００４９】
［地点（ｃ３）］
トウ・ヒール方向位置：フェースセンターｆｃと同じ。
フェース・バック方向位置：地点ｃ４から長さ（Ｌ４／２）を隔てた位置。ただし、長さＬ４は、地点ｃ１から地点ｃ４までのフェース・バック方向長さである。
【００５０】
［地点（ｃ４）］
トウ・ヒール方向位置：フェースセンターｆｃと同じ。
フェース・バック方向位置：リーディングエッジ中心点から５ｍｍを隔てた位置。換言すれば、地点（ｃ５）から５ｍｍを隔てた位置。
【００５１】
［地点ｃ５）］
フェースセンターｆｃと同じトウ・ヒール方向位置における、リーディングエッジＬ上の地点である。本願において、この地点（ｃ５）は、リーディングエッジ中心点とも称される。
【００５２】
［地点（ｈ１）］
バック部ｂとの連結部位におけるヒール連結部１０のフェース・バック方向中心地点。より詳細には、地点（ｈ１）は、バック部ｂとの連結部位におけるヒール連結部１０のバック側の端点ｐ１と、同フェース側の端点ｐ２とのフェース・バック方向中心点である（図５参照）。なお、端点ｐ１と端点ｐ２とは、トウ・ヒール方向位置が異なっていても良い。
【００５３】
［地点（ｈ２）］
トウ・ヒール方向位置：地点ｃ５から長さＬ２を隔てたフェース・バック方向位置における、ヒール連結部１０のトウ・ヒール方向中心位置。
フェース・バック方向位置：地点ｃ５から長さＬ２を隔てた位置。
【００５４】
［地点（ｈ３）］
トウ・ヒール方向位置：地点ｃ４から長さ（Ｌ４／２）を隔てたフェース・バック方向位置における、ヒール連結部１０のトウ・ヒール方向中心位置。
フェース・バック方向位置：地点ｃ４から長さ（Ｌ４／２）を隔てた位置。
【００５５】
［地点（ｈ４）］
トウ・ヒール方向位置：地点（ｈ２）と同じ。
フェース・バック方向位置：地点（ｃ４）と同じ。
【００５６】
［地点（ｈ５）］
トウ・ヒール方向位置：フェース部ｆとの連結部位におけるヒール連結部１０のトウ・ヒール方向中心位置。より詳細には、地点（ｈ５）のトウ・ヒール方向位置は、フェース部４との連結部位におけるヒール連結部１０のトウ側の端点ｐ３と、同ヒール側の端点ｐ４とのトウ・ヒール方向中心位置である（図５参照）。なお、端点ｐ１と端点ｐ２とは、フェース・バック方向位置が異なっていても良い。
フェース・バック方向位置：地点（ｃ４）と同じ。
【００５７】
［地点（ｔ１）］
バック部ｂとの連結部位におけるトウ連結部８のフェース・バック方向中心地点。より詳細には、地点（ｔ１）は、バック部ｂとの連結部位におけるトウ連結部８のバック側の端点ｐ５と、同フェース側の端点ｐ６とのフェース・バック方向中心点である（図５参照）。なお、端点ｐ５と端点ｐ６とは、トウ・ヒール方向位置が異なっていても良い。
【００５８】
［地点（ｔ２）］
トウ・ヒール方向位置：地点ｃ５から長さＬ２を隔てたフェース・バック方向位置における、トウ連結部８のトウ・ヒール方向中心位置。
フェース・バック方向位置：地点ｃ５から長さＬ２を隔てた位置。
【００５９】
［地点（ｔ３）］
トウ・ヒール方向位置：地点ｃ４から長さ（Ｌ４／２）を隔てたフェース・バック方向位置における、トウ連結部８のトウ・ヒール方向中心位置。
フェース・バック方向位置：地点ｃ４から長さ（Ｌ４／２）を隔てた位置。
【００６０】
［地点（ｔ４）］
トウ・ヒール方向位置：地点（ｔ２）と同じ。
フェース・バック方向位置：地点（ｃ４）と同じ。
【００６１】
［地点（ｔ５）］
トウ・ヒール方向位置：フェース部ｆとの連結部位におけるトウ連結部８のトウ・ヒール方向中心位置。より詳細には、地点（ｔ５）のトウ・ヒール方向位置は、フェース部４との連結部位におけるトウ連結部８のトウ側の端点ｐ７と、同ヒール側の端点ｐ８とのトウ・ヒール方向中心位置である（図５参照）。なお、端点ｐ７と端点ｐ８とは、フェース・バック方向位置が異なっていても良い。
フェース・バック方向位置：地点（ｃ４）と同じ。
【００６２】
基準接地面ｓは、地点（ｃ３）と地点（ｃ４）とを結ぶ直線を含むとともに、地点（ｈ５）と地点（ｔ５）とを結ぶ直線に平行な平面である。各地点における高さＨは、基準接地面ｓからの高さである。高さＨは、基準接地面ｓに対して垂直な方向で測定される。
【００６３】
トウ・ヒール方向は、基準接地面ｓに平行で且つフェース面１２に平行な方向と定義されうる。フェース・バック方向は、基準接地面ｓと平行で且つトウ・ヒール方向に対して垂直な方向と定義されうる。
【００６４】
振り抜きが悪くなると、方向性及び距離性（距離の合わせやすさ）が低下する。ストローク中におけるヒール側での接地を抑制して振り抜きを良くする観点から、差［Ｈ（ｈ４）−Ｈ（ｃ４）］は、０ｍｍ以上が好ましく、０．３ｍｍ以上がより好ましく、０．６ｍｍ以上が特に好ましい。座りが悪くなると、アドレスする度にヘッド状態（ヘッドの姿勢）が変化する。座りが悪くなると、打球開始時においてヘッドがトウ・ヒール方向に傾きやすくなる。座りが悪くなると、方向性及び距離性が低下する。座りを良くする観点から、差［Ｈ（ｈ４）−Ｈ（ｃ４）］は、１．５ｍｍ以下が好ましく、１ｍｍ以下がより好ましい。
【００６５】
ストローク中におけるトウ側での接地を抑制して振り抜きを良くする観点から、差［Ｈ（ｔ４）−Ｈ（ｃ４）］は、０ｍｍ以上が好ましく、０．３ｍｍ以上がより好ましく、０．６ｍｍ以上が特に好ましい。座りを良くする観点から、差［Ｈ（ｔ４）−Ｈ（ｃ４）］は、１．５ｍｍ以下が好ましく、１ｍｍ以下がより好ましい。
【００６６】
ストローク中におけるヒール側での接地を抑制して振り抜きを良くする観点から、差［Ｈ（ｈ５）−Ｈ（ｃ４）］は、０ｍｍ以上が好ましく、０．５ｍｍ以上がより好ましく、１ｍｍ以上が特に好ましい。座りを良くする観点から、差［Ｈ（ｈ５）−Ｈ（ｃ４）］は、３ｍｍ以下が好ましく、２ｍｍ以下がより好ましい。
【００６７】
ストローク中におけるトウ側での接地を抑制して振り抜きを良くする観点から、差［Ｈ（ｔ５）−Ｈ（ｃ４）］は、０ｍｍ以上が好ましく、０．５ｍｍ以上がより好ましく、１ｍｍ以上が特に好ましい。座りを良くする観点から、差［Ｈ（ｔ５）−Ｈ（ｃ４）］は、３ｍｍ以下が好ましく、２ｍｍ以下がより好ましい。
【００６８】
打球後半において、ヘッドの姿勢は、前方（フェース側）が高くなり、後方（バック側）が低くなる。打球後半とは、ストロークのうち、インパクトの後半及びインパクト後の部分である。インパクトの後半とは、クラブとボールとが接触している時間の後半である。打球後半には、ヘッド下面のうち、後方の部分が地面に接近する。ストロークが進行するに従い、地面に接近する部分は後方へと移動する。打球後半には、地点（ｃ３）、地点（ｈ３）及び地点（ｔ３）が地面に接近する。打球後半には、地点（ｃ２）、地点（ｈ２）及び地点（ｔ２）が地面に接近する。打球後半には、地点（ｃ１）、地点（ｈ１）及び地点（ｔ１）が地面に接近する。
【００６９】
打球後半には、Ｈ（ｃ３）及びＨ（ｈ３）の影響が大きい。差［Ｈ（ｈ３）−Ｈ（ｃ３）］が過度に大きい場合、打球後半において、ヘッドのトウ・ヒール方向の傾斜角度の自由度が過度に大きい。差［Ｈ（ｔ３）−Ｈ（ｃ３）］が過度に大きいも同様である。ゴルファーは、この自由度の大きさに起因して、ヘッドをトウ・ヒール方向に傾斜させやすい。この傾斜により、アドレスにおけるヘッドの姿勢がインパクトで再現されにくい。
【００７０】
差［Ｈ（ｈ３）−Ｈ（ｃ３）］が過度に大きい場合、打球後半においてヘッドがトウ・ヒール方向に傾きやすくなり、方向性及び距離性が低下する。ストローク中におけるヒール側での接地を抑制して振り抜きを良くする観点から、差［Ｈ（ｈ３）−Ｈ（ｃ３）］は、１ｍｍ以上が好ましく、１．５ｍｍ以上がより好ましく、１．７ｍｍ以上が特に好ましい。座りを良くするとともに、打球後半におけるトウ・ヒール方向の傾きを抑制する観点から、差［Ｈ（ｈ３）−Ｈ（ｃ３）］は、５ｍｍ以下が好ましく、３．５ｍｍ以下がより好ましい。
【００７１】
打球後半には、地点（ｃ３）及び地点（ｔ３）が地面に接近する。打球後半には、Ｈ（ｃ３）及びＨ（ｔ３）の影響が大きい。差［Ｈ（ｔ３）−Ｈ（ｃ３）］が過度に大きい場合、打球後半においてヘッドがトウ・ヒール方向に傾きやすくなり、方向性及び距離性が低下する。ストローク中におけるトウ側での接地を抑制して振り抜きを良くする観点から、差［Ｈ（ｔ３）−Ｈ（ｃ３）］は、１ｍｍ以上が好ましく、１．５ｍｍ以上がより好ましく、１．７ｍｍ以上が特に好ましい。座りを良くするとともに、打球後半におけるトウ・ヒール方向の傾きを抑制する観点から、差［Ｈ（ｔ３）−Ｈ（ｃ３）］は、５ｍｍ以下が好ましく、３．５ｍｍ以下がより好ましい。
【００７２】
差［Ｈ（ｈ２）−Ｈ（ｃ２）］が過度に大きい場合、打球後半において、ヘッドのトウ・ヒール方向の傾斜角度の自由度が大きい。差［Ｈ（ｔ２）−Ｈ（ｃ２）］が過度に大きいも同様である。ゴルファーは、この自由度の大きさに起因して、ヘッドをトウ・ヒール方向に傾斜させやすい。
【００７３】
打球後半には、地点（ｃ２）及び地点（ｈ２）が地面に接近する。差［Ｈ（ｈ２）−Ｈ（ｃ２）］が過度に大きい場合、打球後半においてヘッドがトウ・ヒール方向に傾きやすくなり、方向性及び距離性が低下する。ストローク中におけるヒール側での接地を抑制して振り抜きを良くする観点から、差［Ｈ（ｈ２）−Ｈ（ｃ２）］は、１．５ｍｍ以上が好ましく、２ｍｍ以上がより好ましく、３ｍｍ以上が特に好ましい。座りを良くするとともに、打球後半におけるトウ・ヒール方向の傾きを抑制する観点から、差［Ｈ（ｈ２）−Ｈ（ｃ２）］は、１３ｍｍ以下が好ましく、８ｍｍ以下がより好ましい。
【００７４】
打球後半には、地点（ｃ２）及び地点（ｔ２）が地面に接近する。差［Ｈ（ｔ２）−Ｈ（ｃ２）］が過度に大きい場合、打球後半においてヘッドがトウ・ヒール方向に傾きやすくなり、方向性及び距離性が低下する。ストローク中におけるトウ側での接地を抑制して振り抜きを良くする観点から、差［Ｈ（ｔ２）−Ｈ（ｃ２）］は、１．５ｍｍ以上が好ましく、２ｍｍ以上がより好ましく、３ｍｍ以上が特に好ましい。座りを良くするとともに、打球後半におけるトウ・ヒール方向の傾きを抑制する観点から、差［Ｈ（ｔ２）−Ｈ（ｃ２）］は、１３ｍｍ以下が好ましく、８ｍｍ以下がより好ましい。
【００７５】
差［Ｈ（ｈ１）−Ｈ（ｃ１）］が過度に大きい場合、打球後半において、トウ・ヒール方向の傾斜角度の自由度が過度に大きい。差［Ｈ（ｔ１）−Ｈ（ｃ１）］が過度に大きいも同様である。ゴルファーは、この自由度の大きさに起因して、ヘッドをトウ・ヒール方向に傾斜させやすい。
【００７６】
打球後半には、地点（ｃ１）及び地点（ｈ１）が地面に接近する。差［Ｈ（ｈ１）−Ｈ（ｃ１）］が過度に大きい場合、打球後半においてヘッドがトウ・ヒール方向に傾きやすくなり、方向性及び距離性が低下する。ストローク中におけるヒール側での接地を抑制して振り抜きを良くする観点から、差［Ｈ（ｈ１）−Ｈ（ｃ１）］は、２ｍｍ以上が好ましく、３ｍｍ以上がより好ましく、４．５ｍｍ以上が特に好ましい。座りを良くするとともに、打球後半におけるトウ・ヒール方向の傾きを抑制する観点から、差［Ｈ（ｈ１）−Ｈ（ｃ１）］は、１６ｍｍ以下が好ましく、１０．５ｍｍ以下がより好ましい。
【００７７】
打球後半には、地点（ｃ１）及び地点（ｔ１）が地面に接近する。差［Ｈ（ｔ１）−Ｈ（ｃ１）］が過度に大きい場合、打球後半においてヘッドがトウ・ヒール方向に傾きやすくなり、方向性及び距離性が低下する。ストローク中におけるトウ側での接地を抑制して振り抜きを良くする観点から、差［Ｈ（ｔ１）−Ｈ（ｃ１）］は、２ｍｍ以上が好ましく、３ｍｍ以上がより好ましく、４．５ｍｍ以上が特に好ましい。座りを良くするとともに、打球後半におけるトウ・ヒール方向の傾きを抑制する観点から、差［Ｈ（ｔ１）−Ｈ（ｃ１）］は、１６ｍｍ以下が好ましく、１０．５ｍｍ以下がより好ましい。
【００７８】
差［Ｈ（ｃ１）−Ｈ（ｃ４）］が過度に大きい場合、打球後半において、フェース・バック方向における傾斜角度の自由度が大きい。ゴルファーは、この自由度の大きさに起因して、ヘッドをフェース・バック方向に傾斜させやすい。フェース・バック方向への傾斜により、アドレス状態のヘッド姿勢をインパクトで再現しにくくなる。フェース・バック方向への傾斜により、インパクトにおける実効ロフト角が変動する。
【００７９】
打球後半には、地点（ｃ１）が地面に接近する。差［Ｈ（ｃ１）−Ｈ（ｃ４）］が過度に大きい場合、打球後半においてヘッドがトウ・ヒール方向に傾きやすくなり、方向性及び距離性が低下する。ストローク中におけるバック側での接地を抑制して振り抜きを良くする観点から、差［Ｈ（ｃ１）−Ｈ（ｃ４）］は、０ｍｍ以上が好ましく、０．５ｍｍ以上がより好ましく、１ｍｍ以上が特に好ましい。座りを良くするとともに、打球後半におけるフェース・バック方向の傾きを抑制する観点から、差［Ｈ（ｃ１）−Ｈ（ｃ４）］は、５ｍｍ以下が好ましく、３ｍｍ以下がより好ましく、２ｍｍ以下が特に好ましい。
【００８０】
差［Ｈ（ｈ１）−Ｈ（ｈ５）］が過度に大きい場合、打球後半において、ヘッドのフェース・バック方向への傾斜角度の自由度が大きい。ゴルファーは、この自由度の大きさに起因して、ヘッドをフェース・バック方向に傾斜させやすい。
【００８１】
打球後半には、地点（ｈ１）が地面に接近する。差［Ｈ（ｈ１）−Ｈ（ｈ５）］が過度に大きい場合、打球後半においてヘッドがフェース・バック方向に傾きやすくなり、方向性及び距離性が低下する。ストローク中におけるバック側での接地を抑制して振り抜きを良くする観点から、差［Ｈ（ｈ１）−Ｈ（ｈ５）］は、０ｍｍを超えるのが好ましく、３ｍｍ以上がより好ましく、４．５ｍｍ以上が特に好ましい。座りを良くするとともに、打球後半におけるフェース・バック方向の傾きを抑制する観点から、差［Ｈ（ｈ１）−Ｈ（ｈ５）］は、１６ｍｍ以下が好ましく、１０．５ｍｍ以下がより好ましい。
【００８２】
差［Ｈ（ｔ１）−Ｈ（ｔ５）］が過度に大きい場合、打球後半において、ヘッドのフェース・バック方向の傾斜角度の自由度が大きい。ゴルファーは、この自由度の大きさに起因して、ヘッドをフェース・バック方向に傾斜させやすい。
【００８３】
打球後半には、地点（ｔ１）が地面に接近する。差［Ｈ（ｔ１）−Ｈ（ｔ５）］が過度に大きい場合、打球後半においてヘッドがフェース・バック方向に傾きやすくなり、方向性及び距離性が低下する。ストローク中におけるバック側での接地を抑制して振り抜きを良くする観点から、差［Ｈ（ｔ１）−Ｈ（ｔ５）］は、０ｍｍを超えるのが好ましく、３ｍｍ以上がより好ましく、４．５ｍｍ以上が特に好ましい。座りを良くするとともに、打球後半におけるフェース・バック方向の傾きを抑制する観点から、差［Ｈ（ｔ１）−Ｈ（ｔ５）］は、１６ｍｍ以下が好ましく、１０．５ｍｍ以下がより好ましい。
【００８４】
差［Ｈ（ｈ２）−Ｈ（ｈ５）］が過度に大きい場合、打球後半において、ヘッドのフェース・バック方向への傾斜角度の自由度が大きい。ゴルファーは、この自由度の大きさに起因して、ヘッドをフェース・バック方向に傾斜させやすい。
【００８５】
打球後半には、地点（ｈ２）が地面に接近する。差［Ｈ（ｈ２）−Ｈ（ｈ５）］が過度に大きい場合、打球後半においてヘッドがフェース・バック方向に傾きやすくなり、方向性及び距離性が低下する。ストローク中におけるバック側での接地を抑制して振り抜きを良くする観点から、差［Ｈ（ｈ２）−Ｈ（ｈ５）］は、０ｍｍを超えるのが好ましく、１ｍｍ以上がより好ましく、２ｍｍ以上が特に好ましい。座りを良くするとともに、打球後半におけるフェース・バック方向の傾きを抑制する観点から、差［Ｈ（ｈ２）−Ｈ（ｈ５）］は、１２ｍｍ以下が好ましく、７ｍｍ以下がより好ましい。
【００８６】
差［Ｈ（ｔ２）−Ｈ（ｔ５）］が過度に大きい場合、打球後半において、ヘッドのフェース・バック方向への傾斜角度の自由度が大きい。ゴルファーは、この自由度の大きさに起因して、ヘッドをフェース・バック方向に傾斜させやすい。
【００８７】
打球後半には、地点（ｔ２）が地面に接近する。差［Ｈ（ｔ２）−Ｈ（ｔ５）］が過度に大きい場合、打球後半においてヘッドがフェース・バック方向に傾きやすくなり、方向性及び距離性が低下する。ストローク中におけるバック側での接地を抑制して振り抜きを良くする観点から、差［Ｈ（ｔ２）−Ｈ（ｔ５）］は、０ｍｍを超えるのが好ましく、１ｍｍ以上がより好ましく、２ｍｍ以上が特に好ましい。座りを良くするとともに、打球後半におけるフェース・バック方向への傾きを抑制する観点から、差［Ｈ（ｔ２）−Ｈ（ｔ５）］は、１２ｍｍ以下が好ましく、７ｍｍ以下がより好ましい。
【００８８】
差［Ｈ（ｈ３）−Ｈ（ｈ５）］が過度に大きい場合、打球後半において、ヘッドのフェース・バック方向の傾斜角度の自由度が大きい。ゴルファーは、この自由度の大きさに起因して、ヘッドをフェース・バック方向に傾斜させやすい。
【００８９】
打球後半には、地点（ｈ３）が地面に接近する。差［Ｈ（ｈ３）−Ｈ（ｈ５）］が過度に大きい場合、打球後半においてヘッドがフェース・バック方向に傾きやすくなり、方向性及び距離性が低下する。ストローク中におけるバック側での接地を抑制して振り抜きを良くする観点から、差［Ｈ（ｈ３）−Ｈ（ｈ５）］は、０ｍｍ以上が好ましく、０．３ｍｍ以上がより好ましく、０．７ｍｍ以上が特に好ましい。座りを良くするとともに、打球後半におけるフェース・バック方向の傾きを抑制する観点から、差［Ｈ（ｈ３）−Ｈ（ｈ５）］は、４ｍｍ以下が好ましく、２．５ｍｍ以下がより好ましい。
【００９０】
差［Ｈ（ｔ３）−Ｈ（ｔ５）］が過度に大きい場合、打球後半において、ヘッドのフェース・バック方向への傾斜角度の自由度が大きい。ゴルファーは、この自由度の大きさに起因して、ヘッドをフェース・バック方向に傾斜させやすい。
【００９１】
打球後半には、地点（ｔ３）が地面に接近する。差［Ｈ（ｔ３）−Ｈ（ｔ５）］が過度に大きい場合、打球後半においてヘッドがフェース・バック方向に傾きやすくなり、方向性及び距離性が低下する。ストローク中におけるバック側での接地を抑制して振り抜きを良くする観点から、差［Ｈ（ｔ３）−Ｈ（ｔ５）］は、０ｍｍ以上が好ましく、０．３ｍｍ以上がより好ましく、０．７ｍｍ以上が特に好ましい。座りを良くするとともに、打球後半におけるトウ・ヒール方向の傾きを抑制する観点から、差［Ｈ（ｔ３）−Ｈ（ｔ５）］は、４ｍｍ以下が好ましく、２．５ｍｍ以下がより好ましい。
【００９２】
以下において、差［Ｈ（ｈ１）−Ｈ（ｈ５）］が（Ａ１）とも標記され、差［Ｈ（ｔ１）−Ｈ（ｔ５）］が（Ａ２）とも標記され、差［Ｈ（ｃ１）−Ｈ（ｃ４）］が（Ｂ）とも標記される。
【００９３】
差［（Ａ１）−（Ｂ）］が過度に大きい場合、打球後半において、ヘッドのトウ・ヒール方向の傾斜角度の自由度が大きい。ゴルファーは、この自由度の大きさに起因して、ヘッドをトウ・ヒール方向に傾斜させやすい。
【００９４】
打球後半においては、地点（ｈ１）及び地点（ｃ１）が地面に接近する。差［（Ａ１）−（Ｂ）］が過度に大きい場合、打球後半においてヘッドがトウ・ヒール方向に傾きやすくなり、方向性及び距離性が低下する。ストローク中におけるヒール側での接地を抑制して振り抜きを良くする観点から、差［（Ａ１）−（Ｂ）］は、０ｍｍを超えるのが好ましく、１ｍｍ以上がより好ましく、２ｍｍ以上がより好ましく、３．５ｍｍ以上が特に好ましい。座りを良くするとともに、打球後半におけるトウ・ヒール方向の傾きを抑制する観点から、差［（Ａ１）−（Ｂ）］は、１５ｍｍ以下が好ましく、９．５ｍｍ以下がより好ましい。
【００９５】
差［（Ａ２）−（Ｂ）］が過度に大きい場合、打球後半において、ヘッドのトウ・ヒール方向の傾斜角度の自由度が大きい。ゴルファーは、この自由度の大きさに起因して、ヘッドをトウ・ヒール方向に傾斜させやすい。
【００９６】
打球後半においては、地点（ｔ１）及び地点（ｃ１）が地面に接近する。差［（Ａ２）−（Ｂ）］が過度に大きい場合、打球後半においてヘッドがトウ・ヒール方向に傾きやすくなり、方向性及び距離性が低下する。ストローク中におけるトウ側での接地を抑制して振り抜きを良くする観点から、差［（Ａ２）−（Ｂ）］は、０ｍｍを超えるのが好ましく、１ｍｍ以上がより好ましく、２ｍｍ以上がより好ましく、３．５ｍｍ以上が特に好ましい。座りを良くするとともに、打球後半におけるトウ・ヒール方向の傾きを抑制する観点から、差［（Ａ２）−（Ｂ）］は、１５ｍｍ以下が好ましく、９．５ｍｍ以下がより好ましい。
【００９７】
座りを良くする観点から、地点（ｃ３）と地点（ｃ４）とを結ぶ直線は、ヘッド２の下面に含まれるのが好ましい。
【００９８】
図４において両矢印Ｌ１で示されているのは、ヘッドのトウ・ヒール方向最大幅である。座りを良くするとともに、ヘッドの慣性モーメントを大きくして方向性を高める観点から、幅Ｌ１は、７０ｍｍ以上が好ましく、８０ｍｍ以上がより好ましく、９０ｍｍ以上が特に好ましい。ヘッド重量が過度に大きくなると、振り抜きが悪くなったり、打球速度の微妙な調整が困難となったりして、方向性及び距離性が低下する。振り抜きを良くするとともに過度な重量増加を抑制する観点から、幅Ｌ１は、１５０ｍｍ以下が好ましく、１３０ｍｍ以下がより好ましく、１１０ｍｍ以下が特に好ましい。
【００９９】
図４において両矢印Ｌ３で示されているのは、ヘッドのフェース・バック方向最大幅である。座りを良くするとともに、ヘッドの慣性モーメントを大きくして方向性を高める観点から、幅Ｌ３は、６０ｍｍ以上が好ましく、７０ｍｍ以上がより好ましく、８０ｍｍ以上が特に好ましい。振り抜きを良くするとともに過度な重量増加を抑制する観点から、幅Ｌ３は、１４０ｍｍ以下が好ましく、１２０ｍｍ以下がより好ましく、１００ｍｍ以下が特に好ましい。
【０１００】
図４において両矢印Ｌ４で示されているのは、地点（ｃ１）から地点（ｃ４）までのフェース・バック方向長さである。長さＬ４が過度に小さいと、打球後半におけるトウ・ヒール方向の傾きの自由度が大きくなる。打球後半におけるトウ・ヒール方向の傾きを抑制するとともに完成モーメントを大きくして方向性を高める観点から、長さＬ４は、４０ｍｍ以上が好ましく、５０ｍｍ以上がより好ましく、６０ｍｍ以上が特に好ましい。振り抜きを良くするとともに過度な重量増加を抑制する観点から、幅Ｌ４は、１２０ｍｍ以下が好ましく、１００ｍｍ以下がより好ましく、８０ｍｍ以下が特に好ましい。
【０１０１】
図４において両矢印Ｌ５で示されているのは、フェース部の裏面１４から地点（ｃ４）までのフェース・バック方向長さである。座りをよくする観点から、長さＬ５は、３ｍｍ以上が好ましく、５ｍｍ以上がより好ましい。振り抜きを良くするとともに過度な重量増加を抑制する観点から、幅Ｌ５は、２０ｍｍ以下が好ましく、１５ｍｍ以下がより好ましく、１０ｍｍ以下が特に好ましい。
【０１０２】
図４において両矢印Ｌ０で示されているのは、地点（ｃ４）から地点（ｈ５）までのトウ・ヒール方向長さである。この長さＬ０は、地点（ｃ４）から地点（ｔ５）までのトウ・ヒール方向長さでもある。座りを良くするとともに、ヘッドの慣性モーメントを大きくして方向性を高める観点から、幅Ｌ０は、２５ｍｍ以上が好ましく、３０ｍｍ以上がより好ましく、３５ｍｍ以上が特に好ましい。振り抜きを良くするとともに過度な重量増加を抑制する観点から、幅Ｌ０は、９０ｍｍ以下が好ましく、７０ｍｍ以下がより好ましく、５０ｍｍ以下が特に好ましい。
【０１０３】
図８において両矢印θで示されているのは、基準接地面ｓに対して垂直な直線Ｌｓと、地点（ｃ５）とフェースセンターｆｃとを結ぶ直線Ｌｃとの成す角度である。角度θは、基準接地面ｓを基準とするロフト角である。角度θが小さいと、インパクトにおいて、鉛直方向に対するロフト角が負の状態となりやすい。この負のロフト角により、ボールが地面に押し付けられた状態でインパクトがなされる。このインパクトは、スムースな転がりを阻害し、スムースなストロークを妨げ、距離性や方向性を悪化させる。インパクトにおいて、鉛直方向に対するロフト角が過度に少なくなるのを抑制する観点から、角度θは、０度（degree）以上が好ましく、１度以上がより好ましく、２度以上が特に好ましい。角度θが大きすぎると、ボールが跳ねるなどしてスムースな転がりが得られず、距離性や方向性が低下する。インパクトにおいて、鉛直方向に対するロフト角が過度に大きくなるのを抑制する観点から、角度θは、８度以下が好ましく、６度以下がより好ましく、５度以下が特に好ましい。
【実施例】
【０１０４】
以下、実施例によって本発明の効果が明らかにされるが、この実施例の記載に基づいて本発明が限定的に解釈されるべきではない。
【０１０５】
［実施例１］
上記実施形態のヘッド２と同様にして、図１から図８で示されるヘッドを得た。Ｈ（ｈ１）及びＨ（ｔ１）は、４ｍｍとされた。Ｈ（ｈ２）及びＨ（ｔ２）は、２ｍｍとされた。Ｈ（ｈ３）及びＨ（ｔ３）は、１．３ｍｍとされた。Ｈ（ｈ４）及びＨ（ｔ４）は、０．６ｍｍとされた。Ｈ（ｈ５）及びＨ（ｔ５）は、１ｍｍとされた。このヘッドに、シャフト及びグリップを装着して、実施例１のパター型ゴルフクラブを得た。実施例１の下面の各地点における高さを含め、実施例１のヘッドの寸法等の仕様が、下記の表１で示される。実施例１の評価結果も、下記の表１で示される。
【０１０６】
［実施例２から５及び比較例１］
ヘッドの仕様が下記の表１に示される通りとした他は実施例１と同様にして、実施例２から５及び比較例１のパター型ゴルフクラブを得た。
【０１０７】
表１に記載されているように、全ての実施例及び比較例において、Ｈ（ｈ１）とＨ（ｔ１）とは同一であり、Ｈ（ｈ２）とＨ（ｔ２）とは同一であり、Ｈ（ｈ３）とＨ（ｔ３）とは同一であり、Ｈ（ｈ４）とＨ（ｔ４）とは同一であり、Ｈ（ｈ５）とＨ（ｔ５）とは同一である。
【０１０８】
［官能評価］
ハンディキャップが２から１７である１０名のゴルファーにより評価がなされた。各ゴルファーが、８ｍ先のカップを狙ってパッティングを行った。各ゴルファーは、各クラブで１０回ずつパッティングを行った。各ゴルファーは、座りの良さ及び振りやすさを５段階で官能評価した。官能評価の点数は１点から５点までとされた。点数が高いほど評価が高い。全てのゴルファーの平均値が、下記の表１に示されている。
【０１０９】
［引っかかり回数］
全ゴルファーの打撃（合計１００回）のうち、ストローク中にヘッドと地面とが接触した回数が、「引っかかり回数」として下記の表１で示される。
【０１１０】
［距離ずれ］
ボール停止位置とカップ中心との距離が、全ゴルファーの打撃（合計１００回）において測定された。この平均値が、「距離ずれ」として下記の表１で示される。
【０１１１】
【表１】
2008136524.tif 000003
【０１１２】
表１に示されるように、実施例は、比較例に比べて評価が高い。この評価結果から、本発明の優位性は明らかである。
【産業上の利用可能性】
【０１１３】
本発明は、あらゆるパター型ゴルフクラブ及びそのヘッドに適用されうる。
【図面の簡単な説明】
【０１１４】
【図１】図１は、本発明の一実施形態に係るパター型ゴルフクラブのヘッドの平面図である。
【図２】図２は、図１のヘッドの側面図である。
【図３】図３は、図１のヘッドの正面図である。
【図４】図４は、図１のヘッドの底面図ある。
【図５】図５は、図１のヘッドの底面図である。
【図６】図６は、図１のヘッドのVI−VI線に沿った断面図である。
【図７】図７は、図１のヘッドのVII−VII線に沿った断面図である。
【図８】図８は、図１のヘッドのVIII−VIII線に沿った断面図である。
【符号の説明】
【０１１５】
２・・・ヘッド
４・・・フェース部
６・・・バック部
８・・・トウ連結部
１０・・・ヒール連結部
１２・・・フェース面
１４・・・フェース部の裏面
ｆｃ・・・フェースセンター
Ｌ・・・リーディングエッジ
ｓ・・・基準接地面
【図１】
2008136524.tif 000004
【図２】
2008136524.tif 000005
【図３】
2008136524.tif 000006
【図４】
2008136524.tif 000007
【図５】
2008136524.tif 000008
【図６】
2008136524.tif 000009
【図７】
2008136524.tif 000010
【図８】
2008136524.tif 000011